(57)【要約】【課題】  記録媒体を挿入してセットするときの抵抗が少なく、挿入後は脱落し難い記録装置を提供する。【解決手段】  第１部材と、前記第１部材と対向して配置された第２部材との間隙に挿入された記録媒体を前記第１部材と前記第２部材との間隙量を調整することで挿入された記録媒体を保持する保持手段と、前記保持手段に保持された記録媒体に記録を行う記録手段と、を有し、前記保持手段は、前記第１部材と前記第２部材との間隙に挿入された記録媒体を引き出すときの抵抗が前記間隙に記録媒体を挿入するときの抵抗よりも大きい抵抗部を備え、  前記抵抗部は、前記第１部材と前記第２部材の少なくとも一方に配置されて、保持された記録媒体に接触する。【選択図】  図５
2020121851.tif 000002
【特許請求の範囲】
【請求項１】
第１部材と、前記第１部材と対向して配置された第２部材との間隙に挿入された記録媒体を前記第１部材と前記第２部材との間隙量を調整することで挿入された記録媒体を保持する保持手段と、
前記保持手段に保持された記録媒体に記録を行う記録手段と、
を有し、
前記保持手段は、前記第１部材と前記第２部材との間隙に挿入された記録媒体を引き出すときの抵抗が前記間隙に記録媒体を挿入するときの抵抗よりも大きい抵抗部を備え、
前記抵抗部は、前記第１部材と前記第２部材の少なくとも一方に配置されて、保持された記録媒体に接触することを特徴とする記録装置。
【請求項２】
前記抵抗は、記録媒体との摩擦抵抗であることを特徴とする請求項１記載の記録装置。
【請求項３】
前記抵抗部は、前記間隙に前記記録媒体を挿入する方向には回転自在であり、前記間隙から前記記録媒体を引き出す方向には回転が規制されるローラ部材であることを特徴とする請求項１又は請求項２に記載の記録装置。
【請求項４】
前記記録媒体を挿入するときの前記間隙は、前記記録媒体の厚さよりも大きいことを特徴とする請求項１乃至請求項３のいずれか１項に記載の記録装置。
【請求項５】
前記第１部材は前記記録手段によって記録媒体に記録を行うための開口部を有し、前記第２部材は前記第１部材に当接、離間可能に設けられていることを特徴とする請求項１乃至請求項４のいずれか１項に記載の記録装置。
【請求項６】
前記記録手段は、画像信号に応じてインクを吐出するインクジェット記録手段であることを特徴とする請求項１乃至請求項５のいずれか１項に記載の記録装置。
【発明の詳細な説明】
【技術分野】
【０００１】
本発明は記録媒体に対して記録することができる記録装置に関する。
【背景技術】
【０００２】
記録装置のなかでもインクジェット記録装置は、記録媒体に接触することなくインクを吐出して記録を行うことができるため、普通紙等に限らず、厚紙やプラスチックシート等の記録媒体に対しても画像を記録することができる。このようなインクジェット記録装置にあっては、記録媒体を搬送させることなく、記録領域に固定した状態で記録ヘッドを移動させて封筒等に記録を行う装置がある。
【０００３】
記録媒体を固定して記録を行う場合、例えば特許文献１のように記録媒体を上ガイドとバネにより上方に付勢される下ガイドとの隙間に挿入し、挿入された記録媒体を上下の両ガイドによって挟み込むことによって固定する。そして、固定された記録媒体に対して記録ヘッドを移動させて記録を行うようにしたものがある。
【先行技術文献】
【特許文献】
【０００４】
【特許文献１】特開２００２-１１８５５号
【発明の概要】
【発明が解決しようとする課題】
【０００５】
上記のように、記録媒体を挟み込んで固定する構成の場合、大きくて重量のある記録媒体を記録位置にセットする際、上ガイドとバネ圧による下ガイドとの摩擦力に抗って記録媒体を挿入する必要があり、作業性が悪い。特に、記録媒体が厚くなると、その傾向は顕著になる。また、記録媒体の挿入抵抗を軽減するため、上ガイド、下ガイドを摩擦抵抗の小さい部材にする方法が考えられる。しかし、記録媒体が大きく、重い場合、記録媒体が下ガイドからはみ出るが、はみ出た部分が自重で垂れ下がり、最終的に記録媒体が引き出されるようにしてずれ落ちる可能性がある。そして、記録媒体がずれ落ちてしまうと所望の位置に印刷できなくなる。このように、記録媒体を挿入する場合の摩擦抵抗が大きいと挿入作業性が悪くなり、摩擦抵抗を小さくするとずれ落ちし易くなるという問題がある。
【０００６】
本発明は上記課題を解決するものであり、記録媒体を挿入してセットするときの抵抗が少なく、挿入後は記録媒体が脱落し難い記録装置を提供するものである。
【課題を解決するための手段】
【０００７】
上記目的を達成するための本発明に係る代表的な構成は、第１部材と、前記第１部材と対向して配置された第２部材との間隙に挿入された記録媒体を前記第１部材と前記第２部材との間隙量を調整することで挿入された記録媒体を保持する保持手段と、前記保持手段に保持された記録媒体に記録を行う記録手段と、を有し、前記保持手段は、前記第１部材と前記第２部材との間隙に挿入された記録媒体を引き出すときの抵抗が前記間隙に記録媒体を挿入するときの抵抗よりも大きい抵抗部を備え、前記抵抗部は、前記第１部材と前記第２部材の少なくとも一方に配置されて、保持された記録媒体に接触することを特徴とする。
【発明の効果】
【０００８】
本発明に係る記録装置によれば、記録媒体を挿入してセットするときに抵抗が少なく、挿入後は記録媒体が脱落し難い記録装置を提供することができる。
【図面の簡単な説明】
【０００９】
【図１】実施形態における記録装置の全体構成を示す斜視図である。
【図２】記録媒体保持手段を底面方向から示す要部斜視図である。
【図３】記録媒体保持手段の一部外観斜視図である。
【図４】記録媒体を挿入する状態断面図である。
【図５】記録媒体をセットした状態断面図である。
【発明を実施するための形態】
【００１０】
次に本発明の一実施形態に係る画像形成装置について、図面を参照して具体的に説明する。
【００１１】
〔第１実施形態〕
＜記録装置の全体構成＞
図１は、本実施形態に係るインクジェット記録装置の概略構成を示した外観斜視図である。まず、図１を参照して本実施形態に係るインクジェット記録装置の全体構成について説明する。
【００１２】
記録装置本体には、キャリッジ５０が主走査方向（Ａ方向）へと移動可能に支持されている。このキャリッジ５０は、駆動モータ５１の駆動によってガイド部５２にガイドされて主走査方向に往復移動する。
【００１３】
前記キャリッジ５０には記録ユニット５３が搭載されている。記録ユニット５３はキャリッジの移動方向と直交する副走査方向（Ｂ方向）に移動可能となっている。この記録ユニット５３は、インクタンクと一体に構成された記録ヘッド５４と、記録ヘッド５４を着脱可能に収容するヘッドホルダ５５とをユニット化したものである。記録ヘッド５４には、インクを吐出する複数の記録素子を配列した記録素子列が設けられている。本実施形態における記録素子は、インクタンクから供給されたインクを吐出する吐出口と、吐出口内に設けられた吐出エネルギ発生素子とにより構成され、画像信号に応じて吐出エネルギ発生素子が駆動することによって吐出口からインクが吐出される。なお、吐出口は、キャリッジ５０の移動方向と直交する副走査方向に沿って複数配列されている。
【００１４】
５６は記録媒体保持手段であり、ここに封筒等の記録媒体Ｓを挿入すると、記録媒体保持手段５６によって記録媒体Ｓが挟持固定される。この記録媒体Ｓに対してキャリッジ５０を主走査方向に往動するときに記録ヘッドからインクを吐出して記録媒体Ｓに記録して往動分の画像を形成する。キャリッジ５０が往動端部まで移動すると、記録ヘッド５４がキャリッジ５０内で副走査方向へと所定量移動し、キャリッジ５０が復動する間にインクを吐出して記録媒体Ｓに復動分の画像を形成し、副走査方向へと所定量だけ連続した１つの画像を形成する。
【００１５】
キャリッジ５０の移動領域の一方側端部であるホームポジション位置には回復ユニット５７が設けられている。回復ユニット５７は記録ヘッド５４のノズル乾燥による目詰まりなどを防止するキャッピング手段と、ノズルが目詰まりした際に解消するためのクリーニング手段を備えている。本実施形態ではクリーニング構成として、キャップ側を負圧にしてノズルからインクを吸引することで目詰まりを解消する吸引回復機構を有している。
【００１６】
＜記録媒体保持手段＞
次に、記録媒体を保持する記録媒体保持手段５６の構成について説明する。本実施形態の記録媒体保持手段５６は、図１に示すように、記録媒体Ｓの記録面側の位置基準となる上ガイド部材（第１部材）１と、記録媒体Ｓの記録面側を前記上ガイド部材１に押し付ける下ガイド部材（第２部材）２との間隙量を調整することによって挿入された記録媒体Ｓを保持固定するものである。
【００１７】
上ガイド部材１は、装置本体に対して固定されており、所定位置に開口部１ａが形成されている。この開口部１ａは記録ヘッド５４による記録領域よりも広い領域の開口として形成され、開口部１ａから露出した記録媒体Ｓに対して記録ヘッド５４によって記録を行うものである。
【００１８】
図２は、記録媒体保持手段を底面方向から示す要部斜視図である。下ガイド部材２は、上ガイド部材１の下方に所定の間隔をもって対向して配置され、図２に示すように、２個の付勢バネ３によって上ガイド部材１に向けて下方から付勢されている。また、下ガイド部材２は、軸部４によって駆動部材５の一方端部に枢着されている。この駆動部材５は、他方端部に固着された駆動軸６を中心に回動可能であって、図示しないモータの正転によって前記駆動軸６を図２の矢印Ｃ方向に回動させることにより、上ガイド部材１に対して下ガイド部材２を下方に移動させることができ、上ガイド部材１と下ガイド部材２との間に所定間隔の隙間をすることができる。前記間隔は、記録媒体Ｓの厚みよりもわずかに広くなるように設定されている。これは、記録媒体Ｓを上ガイド部材１と下ガイド部材２との隙間に挿入してセットするが、この隙間から不要物が侵入しないようにするためである。本実施形態では、使用する記録媒体Ｓの厚さが１０ｍｍであるとき、前記間隔は１１ｍｍに設定している。
【００１９】
上ガイド部材１と下ガイド部材２の間であって、記録媒体Ｓを挿入する奥部には記録媒体を検出する検出センサ７（図１参照）が設けられている。したがって、記録媒体Ｓをセット位置まで挿入すると、これを検出センサ７が検出する。この状態で前記モータを反転すると、駆動軸６が矢印Ｃ方向とは逆方向に回動し、下ガイド部材２を下方へ押し下げている力が解除され、下ガイド部材２は付勢バネ３によって上ガイド部材１へと押し付けられる。これにより、記録媒体Ｓは上ガイド部材１と下ガイド部材２によって挟持されて固定される。
【００２０】
（摩擦ローラ）
本実施形態の記録媒体保持手段にあっては、記録媒体を上ガイド部材１と下ガイド部材２との間に挿入するときは抵抗が少なく、挿入後は脱落し難くするために、下ガイド部材２に抵抗部として摩擦ローラ９が設けられている。ここで、摩擦ローラ９について、図３乃至図５を参照して説明する。なお、図３は記録媒体保持手段から上ガイド部材１を取り去り、下ガイド部材２のみとした斜視図、図４は記録媒体を挿入するときの断面図であり、図５は記録媒体を保持したときの断面図である。
【００２１】
摩擦ローラ９は、図３に示すように、下ガイド部材２に設けられた回転軸９ａに対して回転自在に取り付けられており、ゴムローラ部９ｂの上端が下ガイド部材２の上面よりも僅かに突出するように設けられている。
【００２２】
摩擦ローラ９が設けられている位置は、上ガイド部材１と対向した位置であって、上ガイド部材１に形成された開口部１ａから外れた位置に配置され、本実施形態では前記開口部１ａよりも記録媒体挿入方向の上流の位置に設けられている。このため、下ガイド部材２を付勢バネ３で付勢して記録媒体Ｓを上ガイド部材１に押し付ける場合、摩擦ローラ９が記録媒体Ｓに圧接する。そして、下ガイド部材２から突出した摩擦ローラ９の突出量は、付勢バネ３のバネ圧によってゴムローラ部９ｂが潰される量より小さいものとなっている。つまり、付勢バネ３によって下ガイド部材２が押圧され記録媒体Ｓを上ガイド部材１と挟み込むとき、初めに摩擦ローラ９のみで挟み込み、さらに押圧されることで下ガイド部材２と上ガイド部材１によって記録媒体Ｓを挟み込むようになっている。
【００２３】
また、摩擦ローラ９には図示しないワンウェイクラッチが回転軸９ａに設けられており、図４の矢印Ｄ方向には回転自在であるが、逆方向には回転しないようになっている。すなわち、摩擦ローラ９は、記録媒体Ｓを挿入部に挿入する方向には回転自在であり、記録媒体Ｓを挿入部から引き抜く方向に回転が規制される。
【００２４】
したがって、図４に示すように、記録媒体Ｓを挿入部に挿入してセットするときは記録媒体Ｓが摩擦ローラ９に当接して擦れたとしても、摩擦ローラ９は記録媒体Ｓの挿入とともに自由回転するために挿入抵抗にはならず、記録媒体の挿入を阻害することはない。
【００２５】
なお、上ガイド部材１及び下ガイド部材２は、記録媒体Ｓを挿入するときの摩擦抵抗を低減するために、記録媒体Ｓとの摺動性が高い材質で構成することが好ましい。このため、本実施形態では、上ガイド部材１はステンレスにより、下ガイド部材２はポリアセタール樹脂により構成している。
【００２６】
上ガイド部材１と下ガイド部材２との隙間から挿入した記録媒体Ｓが、セット位置まで挿入されると検出センサ７が記録媒体を検出する。この状態で、下ガイド部材２を押し下げている駆動軸６をモータの反転により図２の矢印Ｃ方向とは逆方向に回動させると、図５に示すように、下ガイド部材２は付勢バネ３によって上ガイド部材１へと押し付けられて記録媒体Ｓが挟持されて固定される。この状態では、記録媒体Ｓを上ガイド部材１と下ガイド部材２で挟持するのみならず、摩擦ローラ９が潰された状態で記録媒体Ｓに圧接しているために、記録媒体Ｓは確実に保持される。また、前記保持状態において記録媒体Ｓに脱落する力が作用したとしても、すなわち、上ガイド部材１と下ガイド部材２によって挟持された記録媒体Ｓに引き出し力が作用したとしても、摩擦ローラ９は記録媒体Ｓが引き抜かれる方向に回転しないので、記録媒体Ｓの引き抜き方向への摩擦ローラ９の摩擦力は大きく、記録媒体の脱落が抑制される。
【００２７】
上記のようにして記録媒体を固定した状態で所定の記録を行った後は、下ガイド部材２を移動させるモータをオンすることで下ガイド部材を下方へ移動させる。これによって記録媒体Ｓは上ガイド部材１と下ガイド部材２とによる挟持が解除され、その結果、上ガイド部材１と下ガイド部材２の間隔が記録媒体Ｓの厚さ以上になるために、記録媒体を容易に取り出すことができる。
【００２８】
以上のように、本実施形態では下ガイド部材２に一方向にのみ回転自在な摩擦ローラ９を設けることにより、記録媒体Ｓのセットをスムーズに行いつつ、記録媒体Ｓのずり落ちを抑制することを可能としている。
【００２９】
〔他の実施形態〕
前述した実施形態では、抵抗部として摩擦ローラを一方向にのみ回転可能とするためにワンウェイクラッチを用いたが、これに限定するものではない。例えば、下ガイド部材２の近傍に摩擦ローラの一方向の回転を抑制する傾いた突起形状等を設け、これによって摩擦ローラを一方向のみ自由回転可能とし、他方向への回転を規制するようにしてもよい。
【００３０】
また、本実施形態では抵抗部として摩擦ローラを下ガイド部材２に設けたが、これに限定するものではない。例えば、摩擦ローラを下ガイド部材２では無くて、対向する上ガイド部材１に設けてもよいし、摩擦ローラを下ガイド部材２と上ガイド部材１との両ガイド部材に設けてもよい。
【符号の説明】
【００３１】
Ｓ    …記録媒体
１    …上ガイド部材
１ａ  …開口部
２    …下ガイド部材
３    …付勢バネ
４    …軸部
５    …駆動部材
６    …駆動軸
７    …検出センサ
９    …摩擦ローラ
９ａ  …回転軸
９ｂ  …ゴムローラ部
５０  …キャリッジ
５１  …駆動モータ
５２  …ガイド部
５３  …記録ユニット
５４  …記録ヘッド
５５  …ヘッドホルダ
５６  …記録媒体保持手段
５７  …回復ユニット
【図１】
2020121851.tif 000003
【図２】
2020121851.tif 000004
【図３】
2020121851.tif 000005
【図４】
2020121851.tif 000006
【図５】
2020121851.tif 000007